(57)【要約】【課題】  構造が簡単でありながら、剛性が高く、しかも棧木の取付け作業が容易に行なえる耐力壁の構造体と該構造体により組み立てた枠組構造を提供する。【解決手段】  構造体１は、平行して相対する上辺部材３及び下辺部材４と、平行して相対する左右の側辺部材５，６と、上辺部材３及び下辺部材４の両端と左右の側辺部材５，６の両端とがそれぞれ接合する４つの斜辺部材７とで形成される八角形状の枠体２が鋼材を用いて構成され、各辺部材３〜７に棧木取付用ブロック１０が固着されている。鋼材には、Ｈ形鋼、溝形鋼、Ｔ形鋼あるいは角パイプを用いる。【選択図】      図１
2005264636.tif 000002
【特許請求の範囲】
【請求項１】
平行して相対する上辺部材及び下辺部材と、平行して相対する左右の側辺部材と、前記上辺部材及び下辺部材の両端と前記左右の側辺部材の両端とがそれぞれ接合する４つの斜辺部材とで形成される八角形状の枠体が鋼材を用いて構成され、
前記各辺部材に棧木取付用ブロックが固着されていることを特徴とする耐力壁の構造体。
【請求項２】
前記枠体の前記各辺部材を構成する鋼材が、Ｈ形鋼、溝形鋼、Ｔ形鋼あるいは角パイプである請求項１記載の耐力壁の構造体。
【請求項３】
前記棧木取付用ブロックが、木製、ゴム製、合成樹脂製、あるいはコンクリート製であり、前記各辺部材を構成する前記鋼材に嵌め合わせて固着されている請求項１又は２記載の耐力壁の構造体。
【請求項４】
前記枠体の前記斜辺部材に断面形状が直角三角形の継手部材を取り付けて、前記枠体の外周を方形状に形成したことを特徴とする請求項１，２又は３記載の耐力壁の構造体。
【請求項５】
請求項１ないし３のいずれかに記載の構造体を並列して組み立てた枠組構造であって、互いに隣接する前記枠体の斜辺部材に沿うように係合する断面形状が二等辺三角形の継手部材を介して、隣接する前記枠体が互いに接合されていることを特徴とする耐力壁の枠組構造。
【請求項６】
前記継手部材が、完全な三角形状の断面形状を有している請求項５記載の耐力壁の枠組構造。
【請求項７】
前記継手部材が、断面形状が上辺を開放した台形状と逆Ｖ字形の２つの部品から成り、取り付けたときの輪郭形状が、隣接する前記枠体の前記斜辺部材に沿う三角形状を形成する請求項５記載の耐力壁の枠組構造。
【発明の詳細な説明】
【技術分野】
【０００１】
本発明は、主として木造建築物の壁等を構成するのに用いられる耐力壁の構造体及び該構造体により組み立てた枠組構造に関するものである。
【背景技術】
【０００２】
本願発明者は先に、地震などによる横揺れ、縦揺れに対して強度が大きく、耐震性に優れた耐力壁の枠組体として、特許文献１に示す八角形の金属製枠体と連結金具を用いた筋違枠組構造体を提案している。
【０００３】
前記特許文献１に開示されている筋違構造体は、優れた耐震性を有しているものの、全体の構造が複雑で、連結金具との連結作業に手間を要するという問題があった。
【０００４】
一方、該筋違構造体に用いる八角形の金属製枠体は単独でも十分な剛性が得られることを見い出した。
【特許文献１】特許第３４７２１９２号公報
【発明の開示】
【発明が解決しようとする課題】
【０００５】
本発明は、上記した八角形の金属製枠体を改良して、構造が簡単でありながら、剛性が高く、しかも棧木の取付け作業が容易に行なえる耐力壁の構造体と該構造体により組み立てた枠組構造を提供することを目的とする。
【課題を解決するための手段】
【０００６】
上記目的を達成するために、本発明は、平行して相対する上辺部材及び下辺部材と、平行して相対する左右の側辺部材と、前記上辺部材及び下辺部材の両端と前記左右の側辺部材の両端とがそれぞれ接合する４つの斜辺部材とで形成される八角形状の枠体が鋼材を用いて構成され、前記各辺部材に棧木取付用ブロックが固着されていることを特徴とする。
【０００７】
前記枠体の各辺部材を構成する鋼材には、Ｈ形鋼、溝形鋼、Ｔ形鋼あるいは角パイプ等を用いる。
【０００８】
また、前記棧木取付用ブロックは、釘を打ち込むことが可能な木製、ゴム製あるいは合成樹脂製が好ましいけれども、用途によってはコンクリート製ブロックを使用してもよい。該取付用ブロックは、前記各辺部材を構成する前記鋼材に嵌め合わせて固着することが好ましい。
【０００９】
本発明による構造体は、八角形状の前記枠体の前記斜辺部材に断面形状が直角三角形の継手部材を取り付けて、前記枠体の外周を方形状に形成して使用することができる。
【００１０】
さらに、本発明は、前記構造体を並列して組み立てた枠組構造であって、互いに隣接する前記枠体の斜辺部材に沿うように係合する断面形状が二等辺三角形の継手部材を介して、隣接する前記枠体が互いに接合されている枠組構造とすることができる。
【００１１】
前記枠組構造に使用する継手部材には、断面形状が完全な三角形の単一部品だけではなく、断面形状が上辺を開放した台形状と逆Ｖ字形の２つの部品から成り、前記枠体に取り付けたときの輪郭形状が隣接する前記枠体の前記斜辺部材に沿う三角形状を呈する継手部材を用いることが可能である。
【発明の効果】
【００１２】
以上説明したように、本発明によれば、構造が簡単でありながら、剛性が高く、地震などによる横揺れ、縦揺れに対して強度が大きい耐力壁の構造体が得られる。しかも、棧木の取付作業が容易に行なえるので、特に木造建築物の耐震壁を構成するのに適している。
【発明を実施するための最良の形態】
【００１３】
以下、本発明の好適な実施の形態を図面に基づいて説明する。
【００１４】
図１は、本発明に係る構造体１を示している。該構造体１は、Ｈ形鋼により八角形状に形成された枠体２に木製の棧木取付用ブロック１０を組み付けて構成されている。
【００１５】
枠体２は、平行して相対する上辺部材３及び下辺部材４と、平行して相対する左右の側辺部材５，６と、上辺部材３及び下辺部材４の両端と左右の側辺部材５，６の両端とをそれぞれ接合する４つの斜辺部材７とによって八角形状の中空枠に形成されている。各辺部材３〜７は溶接又は図示は省略したがブラケットを介してボルト・ナットによる締結その他公知の固着手段を用いて接合されている。
【００１６】
棧木取付用ブロック１０は木製角材を適宜の寸法に切断したもので、図２に良く示されているように、各辺部材３〜７（図２では側辺部材６）を構成するＨ形鋼８の空所部９，９に両側から嵌め込み、ボルト１１、ナット１２を用いて各辺部材３〜７の中間部位に固着されている。各辺部材３〜７に固着された棧木取付用ブロック１０はＨ形鋼８の側端縁から突出しており、この突出部を利用して後述するように建築物の棧木や下地ボードを取り付けるものである。該棧木取付用ブロック１０は、上記した木製だけでなくて、釘その他の固着具が装着可能なゴム製、合成樹脂製であってもよい。また、用途によってはコンクリート製ブロックを各辺部材３〜７に固着して構造体１とすることも可能である。なお、棧木取付用ブロック１０は全ての辺部材３〜７に組み付ける必要はない。一部の辺部材３〜７は省くことも可能である。さらに、構造体１は全体をめっき処理、塗装加工、コンクリート吹付け加工などによって防錆加工することが望ましい。
【００１７】
図３ないし図５は、上記構成の構造体１を組み立てて耐力壁の枠組を構成する際に用いる各種の継手部材２１，２２及び２３を示している。
【００１８】
図３に示す継手部材２１は、断面形状が斜辺部材７に沿う長さの斜辺を有する直角三角形に形成されていて、図１に仮想線で示すように、枠体２の４つの斜辺部材７に斜辺が沿うように取り付けたとき、他の一辺が上辺部材３又は下辺部材４と、残りの一辺が左側辺部材５又は右側辺部材６と同一平面上に位置して、枠体２の外周が方形状に形成される。
【００１９】
図４に示す継手部材２２は、断面形状が斜辺部材７に沿う長さの斜辺を有する二等辺三角形に形成されていて、互いに隣接する枠体２の斜辺部材７，７に沿うように係合して隣接する２つの枠体２，２を接合するのに使用する。
【００２０】
図５に示す継手部材２３は、図４に示した継手部材２２の変形態様で、三角形の断面形状の中間部分を削除して、断面形状が上辺を開放した扁平な台形状の構成部品２３ａと、断面形状が逆Ｖ字形の構成部品２３ｂとから成り、各斜辺部材７に取り付けたときの輪郭形状が、継手部材２２の断面形状とほぼ同一形状を形成するようになっている。
【００２１】
図６は、上記した構成を有する構造体１と継手部材２１〜２３を用いて組み立てた耐力壁の枠組構造を示している。
【００２２】
複数の構造体１が基礎３０上に横方向に並列状態に載置され、隣接する構造体１，１の左右の側辺部材５，６を当接させた姿勢で下辺部材４がアンカーボルト３１を介して基礎３０に固着され、互いに隣接する構造体１，１の左側辺部材５と右側辺部材６がボルト・ナットなどの固着具３２を用いて接合されている。さらに、互いに隣接する構造体１，１の斜辺部材７，７に沿うように係合した継手部材２２と継手部材２３がボルト・ナットなどの固着具３２を用いて斜辺部材７に接合されている。
【００２３】
このように、基礎３０の上に複数の構造体１が横方向に並列して、かつ、互いに接合して枠組構造体が構築されると、さらに該枠組構造体の上に上記同様に複数の構造体１を載置固着して所望の大きさを有する耐力壁の枠組構造体を構築する。
【００２４】
このように構築した枠組構造体の中に出入口や窓などの開口部を設ける場合には、図７に示すように、開口部３５に隣接する構造体１の枠体２の斜辺部材７に、図３に示した継手部材２１を取り付けて、該構造体１の外周側縁部分を方形状に形成する。
【００２５】
図８は、図６及び図７に示した枠組構造体により構成される耐力壁４０の要部を示しており、構造体１の各辺部材３〜７に固着した棧木取付用ブロック１０に棧木４１を打ち付け、該棧木４１を介して、又は直接、取付用ブロック１０に下地ボード４２，４２を固定して耐力壁４０が形成される。
【００２６】
図９は、各辺部材３〜７を溝形鋼１３により構成した実施の形態を示しており、棧木取付用ブロック１０は溝形鋼１３の溝部１４に嵌め込み、図２に示したものと同様に、ボルト１１とナット１２を用いて固着されている。
【００２７】
図１０は、各辺部材３〜７をＴ形鋼１５により構成した実施の形態を示しており、２つの棧木取付用ブロック１０，１０が支柱部１６の両側に並列して嵌め合わされ、ボルト１１とナット１２を用いて固着されている。
【００２８】
図１１は、各辺部材３〜７を鋼製の角パイプ１７により構成した実施の形態を示しており、断面形状がコ字形の棧木取付用ブロック１０，１０が角パイプ１７を抱き込むように嵌め合わされ、それぞれドリルねじ１８により角パイプ１７に固着されている。
【産業上の利用可能性】
【００２９】
本発明の構造体及び枠組構造は、特に木造建築物の耐力壁を構築するのに適している。
【図面の簡単な説明】
【００３０】
【図１】本発明に係る構造体の実施形態を示す正面図である。
【図２】図１の２−２線に沿う断面拡大図である。
【図３】図１に示した構造体に組み合わせて使用する継手部材の断面図である。
【図４】図１に示した構造体に組み合わせて使用する別の継手部材の断面図である。
【図５】図１に示した構造体に組み合わせて使用するさらに別の継手部材の断面図である。
【図６】図１に示した構造体を用いて組み立てた耐力壁の枠組構造体の一例を示す正面図である。
【図７】図１に示した構造体を用いて組み立てた枠組構造体に開口部を形成する例を示した正面図である。
【図８】図１に示した構造体を用いて構成された耐力壁の要部を断面して示す斜視図である。
【図９】本発明に係る構造体の別の実施形態を示す要部拡大断面図である。
【図１０】本発明に係る構造体のさらに別の実施形態を示す要部拡大断面図である。
【図１１】本発明に係る構造体のさらに別の実施形態を示す要部拡大断面図である。
【符号の説明】
【００３１】
１  構造体
２  枠体
３  上辺部材
４  下辺部材
５，６  側辺部材
７  斜辺部材
８  Ｈ形鋼
９  空所部
１０  棧木取付用ブロック
１３  溝形鋼
１５  Ｔ形鋼
１７  角パイプ
２１〜２３  継手部材
３０  基礎
３１  アンカーボルト
３２  連結具（ボルト・ナット）
３５  開口部
４０  耐力壁
４１  棧木
４２  下地ボード
【図１】
2005264636.tif 000003
【図２】
2005264636.tif 000004
【図３】
2005264636.tif 000005
【図４】
2005264636.tif 000006
【図５】
2005264636.tif 000007
【図６】
2005264636.tif 000008
【図７】
2005264636.tif 000009
【図８】
2005264636.tif 000010
【図９】
2005264636.tif 000011
【図１０】
2005264636.tif 000012
【図１１】
2005264636.tif 000013